(57)【要約】【課題】レジューム機能を備え、レジューム状態であるコンテンツを複数のＤＶＤメディアに渡って一括で表示および管理ができ、かつユーザーが容易にレジュームポイントの確認を行うことが可能である映像情報処理装置を提供する。  【解決手段】ＨＤＤ内蔵ＤＶＤプレイヤーのＨＤＤに記録されているコンテンツのレジューム情報を表示する際に、現在ＨＤＤ内蔵ＤＶＤプレイヤーに挿入されているＤＶＤメディアだけではなく、これまでに再生中断を行ったことのある全てのＤＶＤメディアに関するレジューム情報を一覧表示する。レジューム情報一覧画面等のレジューム情報が表示されている画面において、例えばユーザーがサムネイル画像を指定する等によって再生の再開が指示された場合に、再開が指示された映像がどのＤＶＤメディアに記録されているかの確認を、レジューム情報に含まれるＤＶＤメディア情報を元に行う。【選択図】図２
2007172670.tif 000002
【特許請求の範囲】
【請求項１】
光ディスクに記録された映像情報の再生処理を行う光ディスク再生手段と、
前記再生処理の実行中に再生処理中断指示を受けた際に、前記中断が行われた位置を、次回再生指示を受信した際における再生処理再開位置であるレジュームポイントとしてハードディスクに記憶するレジュームポイント記憶手段と、
前記レジュームポイント記憶手段において、前記再生処理の中断が行われた位置の映像を静止画として取り込み、前記静止像に対して縮小処理を施すことによりサムネイル画像を作成するサムネイル画像作成手段と、
前記レジュームポイント記憶手段において、前記再生処理を行っていた前記光ディスクを特定するための識別情報を取得する識別情報取得手段と、
前記サムネイル画像を前記レジュームポイント及び前記識別情報と関連付けて前記ハードディスクに記憶するサムネイル画像記憶手段と、
前記光ディスクごとに前記レジュームポイントを一覧表示する際に、前記レジュームポイントと共に、前記レジュームポイントに関連付けられている前記サムネイル画像を表示するサムネイル画像表示手段と、
を備えた光ディスク再生装置において、
ハードディスクに記録されている全ての前記レジュームポイントを前記サムネイル画像表示手段を用いて表示する全レジュームポイント一覧表示手段と、
前記全レジュームポイント一覧表示手段により表示された前記レジュームポイントに関連付けられている前記サムネイル画像の何れかがユーザーにより選択された場合に、前記サムネイル画像に関連付けられている前記識別情報より、前記サムネイル画像の作成元となった前記光ディスクを特定し、特定された前記光ディスクが前記光ディスク再生装置に挿入されているかを検知する光ディスク確認手段と、
前記光ディスク確認手段において前記光ディスクが検知された場合に、ユーザーにより指定された前記サムネイル画像に関連付けられている前記レジュームポイントを用いて、前記光ディスクの再生処理を再開する再生再開手段と、
前記光ディスク確認手段において前記光ディスクが検知されなかった場合に、前記識別情報をもとにユーザーに対して前記光ディスクの挿入を要求する光ディスク要求手段と、
を備えたことを特徴とする光ディスク再生装置。
【請求項２】
光ディスクに記録された映像情報の再生処理を行う光ディスク再生手段と、
前記再生処理の実行中に再生処理中断指示を受けた際に、前記中断が行われた位置を、次回再生指示を受信した際における再生処理再開位置であるレジュームポイントとして記憶部に記憶するレジュームポイント記憶手段と、
前記レジュームポイント記憶手段において、前記再生処理の中断が行われた位置の映像を静止画として取り込み、前記静止像に対して縮小処理を施すことにより代表画像を作成する代表画像作成手段と、
前記レジュームポイント記憶手段において、前記再生処理を行っていた前記光ディスクを特定するための識別情報を取得する識別情報取得手段と、
前記代表画像を前記レジュームポイント及び前記識別情報と関連付けて前記記憶部に記憶する代表画像記憶手段と、
前記光ディスクごとに前記レジュームポイントを一覧表示する際に、前記レジュームポイントと共に、前記レジュームポイントに関連付けられている前記代表画像を表示する代表画像表示手段と、
を備えた光ディスク再生装置において、
記憶部に記録されている全ての前記レジュームポイントを前記代表画像表示手段を用いて表示する全レジュームポイント一覧表示手段
を備えたことを特徴とする光ディスク再生装置。
【請求項３】
前記全レジュームポイント一覧表示手段により表示された前記レジュームポイントに関連付けられている前記代表画像の何れかがユーザーにより選択された場合に、前記代表画像に関連付けられている前記識別情報より、前記代表画像の作成元となった前記光ディスクを特定し、特定された前記光ディスクが前記光ディスク再生装置に挿入されているかを検知する光ディスク確認手段
を備えたことを特徴とする請求項２に記載の光ディスク再生装置。
【請求項４】
前記光ディスク確認手段において前記光ディスクが検知された場合に、ユーザーにより指定された前記代表画像に関連付けられている前記レジュームポイントを用いて、前記光ディスクの再生処理を再開する再生再開手段と、
前記光ディスク確認手段において前記光ディスクが検知されなかった場合に、前記識別情報をもとにユーザーに対して前記光ディスクの挿入を要求する光ディスク要求手段と、
を備えたことを特徴とする請求項２または請求項３に記載の光ディスク再生装置。
【請求項５】
光ディスクに記録された映像情報の再生処理を行う光ディスク再生工程と、
前記再生処理の実行中に再生処理中断指示を受けた際に、前記中断が行われた位置を、次回再生指示を受信した際における再生処理再開位置であるレジュームポイントとしてハードディスクに記憶するレジュームポイント記憶工程と、
前記レジュームポイント記憶工程において、前記再生処理の中断が行われた位置の映像を静止画として取り込み、前記静止像に対して縮小処理を施すことによりサムネイル画像を作成するサムネイル画像作成工程と、
前記レジュームポイント記憶工程において、前記再生処理を行っていた前記光ディスクを特定するための識別情報を取得する識別情報取得工程と、
前記サムネイル画像を前記レジュームポイント及び前記識別情報と関連付けて前記ハードディスクに記憶するサムネイル画像記憶工程と、
前記光ディスクごとに前記レジュームポイントを一覧表示する際に、前記レジュームポイントと共に、前記レジュームポイントに関連付けられている前記サムネイル画像を表示するサムネイル画像表示工程と、
を有する光ディスク再生方法において、
ハードディスクに記録されている全ての前記レジュームポイントを前記サムネイル画像表示工程により表示する全レジュームポイント一覧表示工程と、
前記全レジュームポイント一覧表示工程により表示された前記レジュームポイントに関連付けられている前記サムネイル画像の何れかがユーザーにより選択された場合に、前記サムネイル画像に関連付けられている前記識別情報より、前記サムネイル画像の作成元となった前記光ディスクを特定し、特定された前記光ディスクが前記光ディスク再生方法に挿入されているかを検知する光ディスク確認工程と、
前記光ディスク確認工程において前記光ディスクが検知された場合に、ユーザーにより指定された前記サムネイル画像に関連付けられている前記レジュームポイントを用いて、前記光ディスクの再生処理を再開する再生再開工程と、
前記光ディスク確認工程において前記光ディスクが検知されなかった場合に、前記識別情報をもとにユーザーに対して前記光ディスクの挿入を要求する光ディスク要求工程と、
を有することを特徴とする光ディスク再生方法。
【請求項６】
光ディスクに記録された映像情報の再生処理を行う光ディスク再生工程と、
前記再生処理の実行中に再生処理中断指示を受けた際に、前記中断が行われた位置を、次回再生指示を受信した際における再生処理再開位置であるレジュームポイントとして記憶部に記憶するレジュームポイント記憶工程と、
前記レジュームポイント記憶工程において、前記再生処理の中断が行われた位置の映像を静止画として取り込み、前記静止像に対して縮小処理を施すことにより代表画像を作成する代表画像作成工程と、
前記レジュームポイント記憶工程において、前記再生処理を行っていた前記光ディスクを特定するための識別情報を取得する識別情報取得工程と、
前記代表画像を前記レジュームポイント及び前記識別情報と関連付けて前記記憶部に記憶する代表画像記憶工程と、
前記光ディスクごとに前記レジュームポイントを一覧表示する際に、前記レジュームポイントと共に、前記レジュームポイントに関連付けられている前記代表画像を表示する代表画像表示工程と、
を有する光ディスク再生方法において、
記憶部に記録されている全ての前記レジュームポイントを前記代表画像表示工程により表示する全レジュームポイント一覧表示工程と、
を有することを特徴とする光ディスク再生方法。
【請求項７】
前記全レジュームポイント一覧表示工程により表示された前記レジュームポイントに関連付けられている前記代表画像の何れかがユーザーにより選択された場合に、前記代表画像に関連付けられている前記識別情報より、前記代表画像の作成元となった前記光ディスクを特定し、特定された前記光ディスクが前記光ディスク再生方法に挿入されているかを検知する光ディスク確認工程
を有することを特徴とする請求項６に記載の光ディスク再生方法。
【請求項８】
前記光ディスク確認工程において前記光ディスクが検知された場合に、ユーザーにより指定された前記代表画像に関連付けられている前記レジュームポイントを用いて、前記光ディスクの再生処理を再開する再生再開工程と、
前記光ディスク確認工程において前記光ディスクが検知されなかった場合に、前記識別情報をもとにユーザーに対して前記光ディスクの挿入を要求する光ディスク要求工程と、
を有することを特徴とする請求項６または請求項７に記載の光ディスク再生方法。
【発明の詳細な説明】
【技術分野】
【０００１】
本発明は、光ディスク再生装置、および光ディスク再生方法に関するものであり、特に映像再生時の再生中断処理および再生再開処理に関する。
【背景技術】
【０００２】
近年、テレビ等の映像装置において処理される映像および音声の記録および再生を行うための装置として、ＤＶＤ（Digital Versatile Disk）レコーダまたはＨＤＤ（Hard Disk Drive）レコーダ等のデジタル方式による映像情報処理装置が広く普及してきている。これらのデジタル方式の映像情報処理装置の機能の一つに、レジューム機能がある。
【０００３】
レジューム機能とは、例えば光ディスク記録再生装置等の映像情報処理装置において、再生停止後の次回再生時に、前回の再生停止箇所から自動的に再生を開始する機能である。具体的には、光ディスク記録再生装置がユーザーより再生停止指示を受信した際に、光ディスク上の再生停止位置を検出し、検出した再生停止位置を指し示すポインタを次回再生開始点（レジュームポイント）として記録する。この機能を用いれば、再生停止後にふたたび再生開始の指示を受けた場合に、記憶されているレジュームポイントを参照することにより、前回再生を停止した位置からの継続的な再生を行うことが可能である。
【０００４】
上記のレジューム機能に関連して特許文献１では、再生停止時の各種情報をＨＤＤに記録することによりレジューム機能を強化した光ディスク再生装置が開示されている。特許文献１の光ディスク再生装置は、映像の再生を停止する都度、再生を行っていた光ディスク単位でレジュームポイント、再生停止日時情報、および再生停止時の静止画より作成したサムネイル画像等をレジューム情報としてＨＤＤに記録する。
【０００５】
上記のレジューム機能によれば、ＨＤＤに記録されているレジューム情報をもとに、光ディスク毎の所定数のレジュームポイントの静止画及び再生停止日時がディスプレイに一覧表示される。ユーザーがレジュームポイントの静止画及び再生停止日時をもとにいずれかのレジュームポイントを選択すると、選択されたレジュームポイントから映像の再生が開始される。なお、同一の光ディスクで複数回の再生停止を行った場合には、それら複数回の再生停止位置がレジュームポイントとしてＨＤＤに記憶される。このため、複数のレジュームポイントのいずれかのポイントからでも映像の再生を開始することが可能である。
【０００６】
上記の特許文献１の発明によれば、所定数のレジュームポイントの静止画及び再生停止日時が一覧表示されるため、それら静止画及び再生停止日時を参照することにより、目的のレジュームポイントを容易に探し出して選択することができる。さらに、光ディスク毎にレジューム情報が記録されるため、任意の光ディスクに対して同様のレジューム機能が利用できる。また、一旦光ディスクを交換した場合でも、従来のようにレジューム情報が消去されないため、複数の光ディスクに対してレジューム機能を利用することが可能であるという特徴を持つ。
【０００７】
また上記のレジューム機能に関連して特許文献２では、交換可能な情報記録媒体（例えば光ディスク等）の情報を再生する再生装置に関し、特に情報記録媒体の再生を中断した場合でも、その中断位置からの再生を可能とした再生装置が開示されている。特許文献２の光ディスク再生装置は、再生手段によって再生している、あるいは再生しようとしている情報記録媒体の識別情報を認識手段によって認識する。そして、情報記録媒体の再生を中断するときに、再生している情報記録媒体の識別情報に対応づけて、この情報記録媒体の次回の再生を中断位置から行うために、次回の再生開始時に再生を開始すべき情報記録媒体上の位置（レジュームポイント）を特定可能なレジューム情報を記憶させる。また、情報記録媒体の再生を開始するときには、再生をしようとする情報記録媒体の識別情報に対応して、記憶されているレジューム情報に基づいて、再生開始制御手段が再生位置を制御する。
【０００８】
上記の特許文献２の発明によれば、情報記録媒体を一旦取り出して再度再生した場合や、情報記録媒体を交換して再生した場合でも、各情報記録媒体で前回の再生中断からの再生を行うことが可能である。
【０００９】
しかしながら、特許文献１および特許文献２に開示されている光ディスク記録再生装置においては、現在光ディスク再生装置に挿入されている光ディスクのレジューム情報を表示するのみの機能であるため、例えば複数の光ディスクが存在する場合に、現在挿入されていない光ディスクにレジュームポイントがあるかどうかを判別することができなかった。従ってレジュームポイントの有無を確認する場合、ユーザーは個々の光ディスクを光ディスク再生装置に挿入してレジュームポイントがあるかを光ディスク単位で確認しなければならなかった。このため、例えば光ディスクが大量に存在する場合、レジューム情報の確認にかかる作業量が増加し、どの光ディスクが再生途中の光ディスクであるかをユーザーが判別しにくくなるという問題があった。この結果、ユーザーによる再生の再開忘れ等が発生する可能性があった。
【特許文献１】特開２００４−２０６７８４号公報
【特許文献２】特開２００４−１７８６５４号公報
【発明の開示】
【発明が解決しようとする課題】
【００１０】
本発明は、上記の問題を解決するためになされたものであって、その目的は、レジューム機能を備えた映像情報処理装置において、ＤＶＤメディアに記録されているコンテンツ（映像情報）のうち、レジューム状態であるコンテンツを、複数のＤＶＤメディアに渡って一括で表示および管理ができ、かつユーザーが容易にレジュームポイントの確認を行うことが可能である映像情報処理装置、および映像情報処理方法を提供することにある。
【課題を解決するための手段】
【００１１】
上記目的を達成するために本発明の光ディスク再生装置は、
光ディスクに記録された映像情報の再生処理を行う光ディスク再生手段と、
前記再生処理の実行中に再生処理中断指示を受けた際に、前記中断が行われた位置を、次回再生指示を受信した際における再生処理再開位置であるレジュームポイントとして記憶部に記憶するレジュームポイント記憶手段と、
前記レジュームポイント記憶手段において、前記再生処理の中断が行われた位置の映像を静止画として取り込み、前記静止像に対して縮小処理を施すことにより代表画像を作成する代表画像作成手段と、
前記レジュームポイント記憶手段において、前記再生処理を行っていた前記光ディスクを特定するための識別情報を取得する識別情報取得手段と、
前記代表画像を前記レジュームポイント及び前記識別情報と関連付けて前記記憶部に記憶する代表画像記憶手段と、
前記光ディスクごとに前記レジュームポイントを一覧表示する際に、前記レジュームポイントと共に、前記レジュームポイントに関連付けられている前記代表画像を表示する代表画像表示手段と、
を備えた光ディスク再生装置において、
記憶部に記録されている全ての前記レジュームポイントを前記代表画像表示手段を用いて表示する全レジュームポイント一覧表示手段
を備えたことを特徴としている。
【００１２】
この構成によると、
ＨＤＤ内蔵ＤＶＤプレイヤー（光ディスク再生装置）のＨＤＤ（ハードディスク）に記録されているコンテンツ（映像情報）のレジューム情報（レジュームポイント、中断日時、サムネイル画像等を含む情報）を表示する際に、現在ＨＤＤ内蔵ＤＶＤプレイヤーに挿入されているＤＶＤメディア（光ディスク）だけではなく、これまでに再生中断を行ったことのある全てのＤＶＤメディアに関するレジューム情報を一覧表示する。
【００１３】
また、上記目的を達成するために本発明の映像情報処理装置は、
前記全レジュームポイント一覧表示手段により表示された前記レジュームポイントに関連付けられている前記代表画像の何れかがユーザーにより選択された場合に、前記代表画像に関連付けられている前記識別情報より、前記代表画像の作成元となった前記光ディスクを特定し、特定された前記光ディスクが前記光ディスク再生装置に挿入されているかを検知する光ディスク確認手段
を備えたことを特徴としている。
【００１４】
この構成によると、
レジューム情報一覧画面等のレジューム情報が表示されている画面において、例えばユーザーがサムネイル（代表）画像を指定する等によって再生の再開が指示された場合に、再開が指示された映像がどのＤＶＤメディアに記録されているかの確認を、レジューム情報に含まれるＤＶＤメディア情報（識別情報）を元に行う。
【００１５】
また、上記目的を達成するために本発明の映像情報処理装置は、
前記光ディスク確認手段において前記光ディスクが検知された場合に、ユーザーにより指定された前記代表画像に関連付けられている前記レジュームポイントを用いて、前記光ディスクの再生処理を再開する再生再開手段と、
前記光ディスク確認手段において前記光ディスクが検知されなかった場合に、前記識別情報をもとにユーザーに対して前記光ディスクの挿入を要求する光ディスク要求手段と、
を備えたことを特徴としている。
【００１６】
この構成によると、
サムネイル画像等の指定により再生の再開が指示された際に、該当する映像を記憶したＤＶＤメディアがＨＤＤ内蔵ＤＶＤプレイヤーに格納され、再生可能状態である場合に、指定されたレジュームポイントから映像および音声の再生を再開する。逆に再生不可状態（該当する映像を記憶したＤＶＤメディアがＨＤＤ内蔵ＤＶＤプレイヤーに格納さていない、ＤＶＤメディアに対する録画処理中である等）である場合に、ユーザーに対して該当するＤＶＤメディアの挿入等のメッセージを表示し、再生可能状態への移行を要求する。
【発明の効果】
【００１７】
本発明の第一の構成によれば、
ＨＤＤに記録されているレジューム情報を、現在ＨＤＤ内蔵ＤＶＤプレイヤーに挿入されているＤＶＤメディアだけではなく、これまでに再生中断を行ったことのある全てのＤＶＤメディアを対象として、レジューム情報を一覧表示する。これにより、どのＤＶＤメディアでどのような再生中断を行ったかを、ＤＶＤメディアを交換することなく、容易に確認することができるためユーザーにとっての利便性が向上する。これにより、例えば再生中断を行ったにもかかわらず、再生の再開を行うのをユーザーが忘れてしまう等の問題を防止することが可能である。
【００１８】
本発明の第二の構成によれば、
サムネイル画像等の指定により再生処理の再開が指示された場合に、再開が指示された映像がどのＤＶＤメディアに記録されているかの確認を、レジューム情報に含まれるＤＶＤメディア情報（識別情報）をもとに行う。このため、再生対象の映像が記録されているＤＶＤメディアを簡易な処理で判別することが可能であると共に、複数のＤＶＤメディアのレジューム情報を一元管理することが可能である。
【００１９】
本発明の第三の構成によれば、
サムネイル画像等の指定により再生の再開が指示された際に、該当する映像を記憶したＤＶＤメディアが再生可能状態でＨＤＤ内蔵ＤＶＤプレイヤーに格納さているか確認する。再生可能である場合は映像の再生処理を再開が、再生不可である場合は、再生対象となるＤＶＤメディアへの交換等のメッセージを表示する。これにより、ユーザーはサムネイル画像が示す映像が記録されたＤＶＤメディアを容易に識別することができるため、ユーザーにとっての利便性が向上する。
【発明を実施するための最良の形態】
【００２０】
本発明の実施の一形態について、図面に基づいて説明すれば、以下の通りである。
【００２１】
［実施の形態１］
〈１−１．ＨＤＤ内蔵ＤＶＤプレイヤーの内部構成について〉
ここで、本発明の第一の実施形態におけるＨＤＤ内蔵ＤＶＤプレイヤー１の電気回路システムの要部構成を、図４のブロック図を用いながら説明する。
【００２２】
図４のブロック図に示すように、本発明のＨＤＤ内蔵ＤＶＤプレイヤー１は、少なくとも、制御部１１、メモリ１２、ＨＤＤ１３、データ入力部１４、エンコーダ部１５、デコーダ部１６、データ出力部１７、制御プログラム記憶部１８、操作ボタン群２１、フロントパネル２２、及びＤＶＤスロット２３を含むように構成されている。
【００２３】
制御部１１は、ＨＤＤ内蔵ＤＶＤプレイヤー１の各部材の駆動を有機的に制御することにより映像情報処理（コンテンツの録画、或いは再生等）を統括制御するための中央処理装置である。また制御部１１は、各装置（例えばＨＤＤ１３等）の制御やデータの計算、加工処理等を行なう中枢部分となっている。
【００２４】
メモリ１２は、ＨＤＤ内蔵ＤＶＤプレイヤー１が保持する各種データを一時的に記憶する媒体であり、例えば書込可能なＲＡＭ（Random Access Memory）等により構成されている。メモリ１２は、例えば制御部１１によって各種情報処理が行われる際の処理データや、ユーザーから受けた指示命令等を一時的に記憶しておくためのバッファメモリとしての役割を持つ。
【００２５】
ＨＤＤ１３は、ＨＤＤ内蔵ＤＶＤプレイヤー１が保持する各種データ（映像データ、音声データ、または管理データ等）を記録するための磁気記憶媒体である。なお、ＨＤＤ１３は、複数の領域（パーティション）に物理的に分割されており、記憶するデータの種別（映像データ、管理データ等）に応じて領域別に記憶することがより望ましい。
【００２６】
データ入力部１４は、例えばデジタルチューナーなどの外部装置からデジタルデータ（映像情報）を入力するための入力インタフェースである。また、例えばアナログデータを入力する場合は、Ａ／Ｄ（Analog Digital）コンバータ（不図示）を用いてアナログの映像データおよび音声データをデジタルデータに変換して入力することが可能である。
【００２７】
エンコーダ部１５は、映像データをＭＰＥＧ２等の動画圧縮方式により圧縮（エンコード）を行ったり、音声データをＤｏｌｂｙ  ＡＣ−３やＬＰＣＭ等の音声圧縮方式により圧縮を行うための処理回路である。なお、圧縮を行うデータとしては、例えばデータ入力部１４より入力された映像データおよび音声データ等が対象となる。
【００２８】
デコーダ部１６は、前記エンコーダ部１５等により圧縮された映像データおよび音声データを伸長（デコード）するための処理回路である。伸張が行われたデータは、例えば後述するデータ出力部１７等を用いて外部機器に対して出力される。
【００２９】
データ出力部１７は、例えばモニターなどの外部装置に対して映像データおよび音声データを出力するための出力インタフェースである。なお、例えば出力先の機器がアナログインタフェースしか備えていない場合は、Ｄ／Ａコンバータを用いてデジタルの映像データおよび音声データをアナログデータに変換して出力することが可能である。
【００３０】
制御プログラム記憶部１８は、例えば制御部１１を用いた各種処理（例えば映像データの入出力制御等）を行うためのプログラムデータを記憶するための媒体であり、例えば情報の読み出しのみが可能なＲＯＭ（Read Only Memory）等が用いられる。
【００３１】
操作ボタン群２１は、ユーザーが番組の録画および再生等の各種指示をＨＤＤ内蔵ＤＶＤプレイヤー１に対して行なうための入力インターフェースである。フロントパネル２２は、ＨＤＤ内蔵ＤＶＤプレイヤー１の各種情報をユーザーに対して表示するためのユーザーインタフェースである。
【００３２】
ＤＶＤスロット２３は、ＤＶＤメディア９１を格納し、ＤＶＤメディア９１に対して光学的に各種データの読み込み、または書き込みを行うための光学装置である。なお、ＤＶＤには複数の規格が存在するため、ＤＶＤスロット２３の規格に応じたＤＶＤメディア９１を使用しなければ、各種処理（録画、再生等）を行うことができない。
【００３３】
〈１−２．レジュームポイント作成処理工程について〉
ここで、本発明のＨＤＤ内蔵ＤＶＤプレイヤー１におけるレジュームポイントの作成処理工程を、図１のフロー図と、図４のブロック図とを用いながら説明する。
【００３４】
図１に示すように、制御部１１がＤＶＤ９１に記録された映像の再生処理中に再生中断指示を検知することにより、本処理が開始される（Ｓ１１０）。なお、再生中断指示は、例えばユーザーが操作ボタン群２１を用いて再生停止操作を行なった場合等に発行される。
【００３５】
再生処理中に再生中断指示を受けた制御部１１は、再生中断指示により再生を中断した位置をレジュームポイント（次に再生指示を受けた際に再生を開始する位置）として取得する。取得されたレジュームポイントは、付加情報として再生の中断が行われた日時や、再生の中断が行われた映像のタイトル名、映像が記憶されているディスク名等が付加され、レジューム情報としてＨＤＤ１３に記憶される（Ｓ１２０）。
【００３６】
制御部１１は、上記Ｓ１２０において取得したレジュームポイントの映像を静止画としてキャプチャ（取得）する（Ｓ１３０）。制御部１１はキャプチャした静止画に対してＪＰＥＧ方式等の圧縮方式による圧縮、もしくは縮小処理を施し、サムネイル（代表）画像を作成する（Ｓ１４０）。作成されたサムネイル画像はＨＤＤ１３に記憶される変換される。なおこの際、サムネイル画像作成の元である静止画に関連付けられたレジューム情報が、サムネイル画像の付加情報として併せてＨＤＤ１３に記憶される。
【００３７】
制御部１１は、ＤＶＤスロット２３を用いて、ＤＶＤメディア９１のメディア情報を取得する。メディア情報とは、例えばＤＶＤメディア９１の製造メーカー、容量、反射率、型番等を示す情報であり、製造時よりメディア毎に固有に保持しいているものである。取得されたメディア情報は、上記レジューム情報に付加されて、ＨＤＤ１３に記憶される（Ｓ１５０）。
【００３８】
〈１−３．レジューム情報表示処理工程について〉
ここで、本発明のＨＤＤ内蔵ＤＶＤプレイヤー１におけるレジューム情報の表示処理工程について、図２のフロー図と、図４のブロック図と、図５及び図６の画面図とを用いながら説明する。
【００３９】
図２に示すように、制御部１１がレジューム情報一覧画面等のレジューム情報が表示される画面の表示指示を検知することにより、本処理が開始される（Ｓ２１０）。なお、レジューム画面一覧の表示指示は、例えばユーザーが操作ボタン群２１を用いてレジューム一覧画面表示操作を行なった場合等に発行される。
【００４０】
レジューム情報一覧画面の表示指示を受けた制御部１１は、サムネイルレジューム機能が有効になっているかどうかの確認を行う（Ｓ２２０）。なお、サムネイルレジューム機能の有効及び無効の設定は、例えばユーザー設定画面等においてユーザーからの指示により設定され、メモリ１２或いはＨＤＤ１３等に記憶されている。サムネイルレジューム機能が有効になっている場合は、次のＳ２３０の処理に移行する。無効になっている場合、通常のレジューム情報表示処理を行う（Ｓ２２５）。なお、通常のレジューム情報処理処理については、従来技術と同様であるため、ここでは説明を省略する。
【００４１】
前記Ｓ２２０においてサムネイルレジューム機能が有効であると判断された場合、制御部１１は、ＨＤＤ１３に記録されているレジューム情報を、サムネイル画像等を用いて一覧表示する。この際、表示されるレジューム情報は、現在ＨＤＤ内蔵ＤＶＤプレイヤー１に収納されているＤＶＤメディア９１だけではなく、これまでに再生中断が行われた全てのＤＶＤメディア９１を対象とする（Ｓ２３０）。
【００４２】
例えば図５に示す例では、三つのＤＶＤメディア９１（ディスク名がアウトドア１、スポーツ１、バラエティ２のＤＶＤメディア９１）に関するレジューム情報が表示されている。ディスク名がスポーツ１のＤＶＤメディア９１には二つのレジュームポイント（サムネイル画像Ｂおよびサムネイル画像Ｃ）が存在する。ディスク名がアウトドア１のＤＶＤメディア９１には一つのレジュームポイント（サムネイル画像Ａ）が存在する。ディスク名がバラエティ２のＤＶＤメディア９１には一つのレジュームポイント（サムネイル画像Ｄ）が存在する。各レジュームポイントには、そのレジュームポイントが作成された日時（再生の中断が行われた日時）が付加情報として表示されている。
【００４３】
前記Ｓ２３０により表示されたレジューム情報一覧画面において、例えばユーザーがサムネイル画像を指定することにより、サムネイル画像に関連付けられたレジュームポイントより映像の再生を再開するための再開処理命令が発効される（Ｓ２４０）。再開処理命令を検知した制御部１１は、ＨＤＤ１３に記憶されたレジューム情報を確認し、指定されたサムネイル画像に対応するディスク名を取得する。そして取得したディスク名に関連付けられている識別情報を用いてＤＶＤメディア９１を特定するとともに、特定されたＤＶＤメディア９１がＤＶＤスロット２３に収納され、かつ再生可能状態であるかを確認する（Ｓ２５０）。
【００４４】
確認の結果、ＤＶＤメディア９１が再生可能状態で存在する場合は、次のＳ２６０の処理に移行する。ＤＶＤメディア９１が存在しない場合、或いは存在するが再生が不可能な状態（ＤＶＤメディア９１に対して録画処理が行われている場合等）である場合は、ユーザーに対する警告メッセージを表示する（Ｓ２５５）。例えば図６に示す例では、図５のレジューム情報確認画面においてサムネイル画像Ｂ（サッカー）がユーザーより指定され、かつディスク名がスポーツ１のＤＶＤメディア９１がスロット２３に存在しなかった場合の警告である。この例では、サムネイル画像Ｂに対応するディスク名（スポーツ１）を表示すると共に、ＤＶＤメディア９１の挿入を要求している。
【００４５】
前記Ｓ２５０の処理において、サムネイル画像に対応するＤＶＤメディア９１が再生可能状態でＤＶＤスロット２３に格納されていると確認された場合、制御部１１は、サムネイル画像に関連付けられたレジュームポイントより再生処理の再開を行う（Ｓ２６０）。
【００４６】
〈１−４．本発明の種々ある特徴について〉
本実施形態によると、
制御部１１がレジューム情報一覧画面等のレジューム情報が表示される画面の表示指示を検知した際に、ＨＤＤ１３に記録されているレジューム情報を、サムネイル画像等を用いて一覧表示する。この際、表示されるレジューム情報は、現在ＨＤＤ内蔵ＤＶＤプレイヤー１に収納されているＤＶＤメディア９１だけではなく、これまでに再生中断が行われた全てのＤＶＤメディア９１を対象とする。そして表示されたレジューム情報一覧画面において、例えばユーザーがサムネイル画像を指定することにより、サムネイル画像に関連付けられたレジュームポイントより映像の再生を再開する。
【００４７】
この結果、ユーザーは複数のＤＶＤメディア９１に存在するレジュムポイントを、ＤＶＤメディア９１をＤＶＤスロット２３に格納することなく確認することができるため、これまでに行った再生中断の情報を確認する作業の作業量が大幅に減り、利便性が向上するという特徴がある。このため、再生を中断したにもかかわらず、その後に再生の再開を忘れるといった問題を防いだり、或いは視聴途中のＤＶＤメディア９１の映像情報を過って削除してしまうなどの弊害を防ぐことができる。
【００４８】
［実施の形態２］
〈２−１．ＨＤＤ内蔵ＤＶＤプレイヤーの内部構成について〉
実施の形態１と同内容であるため、ここでは説明を省略する。
【００４９】
〈２−２．レジュームポイント作成処理工程について〉
実施の形態１と同内容であるため、ここでは説明を省略する。
【００５０】
〈２−３．レジューム情報表示処理工程について〉
ここで、本発明のＨＤＤ内蔵ＤＶＤプレイヤー１におけるレジューム情報の表示処理工程について、図３のフロー図と、図４のブロック図と、図７から図９の画面図とを用いながら説明する。
【００５１】
図３に示すように、制御部１１がレジューム情報一覧画面等のレジューム情報が表示される画面の表示指示を検知することにより、本処理が開始される（Ｓ３１０）。なお、レジューム画面一覧の表示指示は、例えばユーザーが操作ボタン群２１を用いてレジューム一覧画面表示操作を行なった場合等に発行される。
【００５２】
レジューム情報一覧画面の表示指示を受けた制御部１１は、サムネイルレジューム機能が有効になっているかどうかの確認を行う（Ｓ３２０）。なお、サムネイルレジューム機能の有効及び無効の設定は、例えばユーザー設定画面等においてユーザーからの指示により設定され、メモリ１２或いはＨＤＤ１３等に記憶されている。サムネイルレジューム機能が有効になっている場合は、次のＳ３３０の処理に移行する。無効になっている場合、通常のレジューム情報表示処理を行う（Ｓ３２５）。なお、通常のレジューム情報処理処理については、従来技術と同様であるため、ここでは説明を省略する。
【００５３】
前記Ｓ３２０においてサムネイルレジューム機能が有効であると判断された場合、制御部１１は、ＨＤＤ１３に記録されているレジューム情報より、これまでに再生中断が行われた（レジュームポイントが作成された）ＤＶＤメディア９１の情報を取得する。そして取得したＤＶＤメディア９１に関する情報を、例えばサムネイル画像等を使用して一覧表示する（Ｓ３３０）。
【００５４】
例えば図７に示す例では、再生中断が行われた四つのＤＶＤメディア９１（ディスク名がアウトドア１、スポーツ１、スポーツ２、バラエティ２のＤＶＤメディア９１）のサムネイル画像及びディスク名が一覧表示されている。なお、サムネイル画像は、各ディスクが保持するレジュームポイントに関連付けられているサムネイル画像の中から自動的に選択されて表示される。この画面において、ユーザーよりサムネイル画像の選択等により特定のＤＶＤメディア９１が指定されることにより、次のＳ３５０の処理に移行する（Ｓ３４０）。
【００５５】
制御部１１は、選択されたＤＶＤメディア９１に関するレジューム情報を、サムネイル画像等を用いて一覧表示する（Ｓ３５０）。例えば図８に示す例では、ＤＶＤメディア９１として、ディスク名がスポーツ１であるＤＶＤメディア９１が選択された場合のレジューム情報一覧画面を示している。スポーツ１にはレジュームポイントが四つ存在し、それぞれのレジュームポイントについてサムネイル画像、タイトル（番組名）、再生中断日時（レジュームポイントが作成された日時）が表示されている。
【００５６】
前記Ｓ３５０により表示されたＤＶＤメディア９１毎のレジューム情報一覧画面において、例えばユーザーがサムネイル画像を指定することにより、サムネイル画像に関連付けられたレジュームポイントより映像の再生を再開するための再開処理命令が発効される（Ｓ３６０）。再開処理命令を検知した制御部１１は、ディスク名に関連付けられている識別情報を用いてＤＶＤメディア９１を特定するとともに、特定されたＤＶＤメディア９１がＤＶＤスロット２３に収納され、かつ再生可能状態であるかを確認する（Ｓ３７０）。
【００５７】
確認の結果、ＤＶＤメディア９１が再生可能状態で存在する場合は、次のＳ３８０の処理に移行する。ＤＶＤメディア９１が存在しない場合、或いは存在するが再生が不可能な状態（ＤＶＤメディア９１に対して録画処理が行われている場合等）である場合は、ユーザーに対する警告メッセージを表示する（Ｓ３７５）。例えば図９に示す例では、図５のレジューム情報確認画面において、いずれかのサムネイル画像がユーザーより指定され、かつディスク名がスポーツ１のＤＶＤメディア９１がスロット２３に存在しなかった場合の警告である。この例では、サムネイル画像に対応するディスク名（スポーツ１）を表示すると共に、ＤＶＤメディア９１の挿入を要求している。
【００５８】
前記Ｓ３７０の処理において、サムネイル画像に対応するＤＶＤメディア９１が再生可能状態でＤＶＤスロット２３に格納されていると確認された場合、制御部１１は、サムネイル画像に関連付けられたレジュームポイントより再生処理の再開を行う（Ｓ３８０）。
【００５９】
〈２−４．本発明の種々ある特徴について〉
本実施形態によると、
制御部１１がレジューム情報一覧画面等のレジューム情報が表示される画面の表示指示を検知した際に、ＨＤＤ１３に記録されているレジューム情報をもとに、これまでレジュームポイントが作成されたことのあるＤＶＤメディア９１のメディア情報を、サムネイル画像等を用いて一覧表示する。そしてユーザーにより特定のＤＶＤメディア９１が選択された場合に、該当するＤＶＤメディア９１のレジューム情報を一覧表示する。そして表示されたレジューム情報一覧画面において、例えばユーザーがサムネイル画像を指定することにより、サムネイル画像に関連付けられたレジュームポイントより映像の再生が再開される。
【００６０】
この結果、ユーザーは複数のＤＶＤメディア９１に存在するレジュームポイントを、ＤＶＤメディア９１をＤＶＤスロット２３に格納することなく、かつＤＶＤメディア９１単位で確認することができるため、これまでに行った再生中断の情報を確認する作業の作業量が大幅に減り、利便性が向上するという特徴がある。このため、再生を中断したにもかかわらず、その後に再生の再開を忘れるといった問題を防いだり、或いは視聴途中のＤＶＤメディア９１の映像情報を過って削除してしまうなどの弊害を防ぐことができる。
【００６１】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００６２】
例えば前述した実施形態の機能を実現するソフトウェアのプログラムコードを記録した記憶媒体を、ＨＤＤ内蔵ＤＶＤプレイヤー１に供給し、そのＨＤＤ内蔵ＤＶＤプレイヤー１内のコンピュータ（例えばＣＰＵ）が記憶媒体に格納されたプログラムコードを読出し実行することによっても、達成されることは言うまでもない。
【００６３】
この場合、記憶媒体から読出されたプログラムコード自体が、前述した実施形態の機能を実現することになり、そのプログラムコードを記憶した記憶媒体は本発明を構成することになる。
【００６４】
なお、プログラムコードを供給するための記憶媒体としては、例えば、フロッピディスク、ＨＤＤ、光ディスク、光磁気ディスク、ＣＤ−ＲＯＭ、ＣＤ−Ｒ、磁気テープ、不揮発性のメモリカード、ＲＯＭなどを用いることができる。
【００６５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６７】
また、本発明の映像情報処理方法が、ＨＤＤ内蔵ＤＶＤプレイヤー以外のＨＤＤを備えた外部メディア再生装置において用いられたとしても、同様の効果がえられることは言うまでもない。なお、ＨＤＤを備えた外部メディア再生装置としては、例えばＤＶＤレコーダ、ビデオテープレコーダ（ＶＴＲ）、ＤＶレコーダ、パソコン、デジタルビデオカメラ、テレビゲーム機などが挙げられる。
【図面の簡単な説明】
【００６８】
【図１】本発明のＨＤＤ内蔵ＤＶＤプレイヤーによるレジュームポイント記憶処理の処理フロー図である。
【図２】本発明のＨＤＤ内蔵ＤＶＤプレイヤーの第一の実施形態によるレジューム情報表示処理の処理フロー図である。
【図３】本発明のＨＤＤ内蔵ＤＶＤプレイヤーの第二の実施形態によるレジューム情報表示処理の処理フロー図である。
【図４】本発明のＨＤＤ内蔵ＤＶＤプレイヤーの電気回路の要部構成を示したブロック図である。
【図５】本発明のＨＤＤ内蔵ＤＶＤプレイヤーの第一の実施形態によるによるレジューム情報一覧画面の一例を示した画面図である。
【図６】本発明のＨＤＤ内蔵ＤＶＤプレイヤーの第一の実施形態によるによるレジューム情報一覧画面の一例を示した画面図である。
【図７】本発明のＨＤＤ内蔵ＤＶＤプレイヤーの第二の実施形態によるによるディスク一覧画面の一例を示した画面図である。
【図８】本発明のＨＤＤ内蔵ＤＶＤプレイヤーの第二の実施形態によるによるレジューム情報一覧画面の一例を示した画面図である。
【図９】本発明のＨＤＤ内蔵ＤＶＤプレイヤーの第二の実施形態によるによるレジューム情報一覧画面の一例を示した画面図である。
【符号の説明】
【００６９】
１      ＨＤＤ内蔵ＤＶＤプレイヤー（光ディスク再生装置）
１１    制御部
１２    メモリ
１３    ＨＤＤ（ハードディスク、記憶部）
１４    データ入力部
１５    エンコーダ部
１６    デコーダ部
１７    データ出力部
１８    制御プログラム記憶部
２３    ＤＶＤスロット
９１    ＤＶＤメディア（光ディスク）
【図１】
2007172670.tif 000003
【図２】
2007172670.tif 000004
【図３】
2007172670.tif 000005
【図４】
2007172670.tif 000006
【図５】
2007172670.tif 000007
【図６】
2007172670.tif 000008
【図７】
2007172670.tif 000009
【図８】
2007172670.tif 000010
【図９】
2007172670.tif 000011